(57)【特許請求の範囲】
【請求項１】
表示端末に適用される商品表示方法であって、
前記表示端末とユーザ端末との位置関係が所定の条件を満たしているか否かを決定するステップと、
前記表示端末とユーザ端末との位置関係が前記所定の条件を満たしている場合、ユーザが購入する意図がある少なくとも１つの商品の商品識別子を含む前記ユーザ端末の購入意図情報を取得するステップと、
前記購入意図情報に基づいて、前記購入意図情報に含まれる商品識別子に対応する前記少なくとも１つの商品を表示するステップと、を含む、
ことを特徴とする商品表示方法。
【請求項２】
前記表示端末とユーザ端末との位置関係が所定の条件を満たしているか否かを決定するステップは、
前記ユーザ端末と前記表示端末との間の距離を取得するステップと、
前記距離に基づいて、前記表示端末とユーザ端末との位置関係が所定の条件を満たしているか否かを決定するステップと、を含む、
ことを特徴とする請求項１に記載の方法。
【請求項３】
前記距離に基づいて、前記表示端末とユーザ端末との位置関係が所定の条件を満たしているか否かを決定するステップは、
前記距離が第１の所定の距離閾値以下であるか否かを決定するステップと、
前記距離が前記第１の所定の距離閾値以下である場合、前記表示端末とユーザ端末との位置関係が所定の条件を満たしていると確認するステップと、を含む、
ことを特徴とする請求項２に記載の方法。
【請求項４】
前記表示端末とユーザ端末との位置関係が所定の条件を満たしているか否かを決定するステップは、
前記表示端末と前記ユーザ端末との位置関係が、顔認識の要件を満たしているか否かを決定するステップを含み、
前記表示端末とユーザ端末との位置関係が前記所定の条件を満たしている場合、前記ユーザ端末の購入意図情報を取得するステップは、
前記表示端末と前記ユーザ端末との位置関係が顔認識の要件を満たしている場合、前記ユーザ端末の購入意図情報を取得するステップを含む、
ことを特徴とする請求項１に記載の方法。
【請求項５】
前記ユーザ端末の購入意図情報を取得するステップは、
前記ユーザ端末の端末識別子を取得するステップと、
サーバが、前記端末識別子に対応するユーザ端末の検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するステップと、
前記サーバによって送信された、購入意図情報を含むフィードバック情報を受信するステップと、を含む、
ことを特徴とする請求項１〜４のいずれかに記載の方法。
【請求項６】
ユーザ端末に適用される商品表示方法であって、
ローカルの検索記録またはショッピングカートの商品リストを取得するステップと、
前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、
前記購入意図情報を表示端末に送信するステップと、を含む、
ことを特徴とする商品表示方法。
【請求項７】
前記方法は、
前記表示端末が、前記表示端末と前記ユーザ端末との位置関係が所定の条件を満たしているか否かを決定するように、前記表示端末に現在の位置を送信するステップをさらに含む、
ことを特徴とする請求項６に記載の方法。
【請求項８】
前記表示端末に現在の位置を送信するステップは、
前記ユーザ端末の現在の位置と前記表示端末の位置とを含む地図を取得するステップと、
前記地図に基づいて、前記ユーザ端末と前記表示端末との距離が第２の所定の距離閾値以下であるか否かを決定するステップと、
前記ユーザ端末と前記表示端末との距離が第２の所定の距離閾値以下である場合、前記表示端末に前記現在の位置を送信するステップと、を含む、
ことを特徴とする請求項７に記載の方法。
【請求項９】
前記表示端末に現在の位置を送信するステップは、
前記表示端末に対応する無線ローカルエリアネットワークとの接続が確立される場合、前記表示端末に現在の位置を送信するステップを含む、
ことを特徴とする請求項７に記載の方法。
【請求項１０】
前記表示端末とユーザ端末との位置関係が所定の条件を満たしているか否かを決定するための決定モジュールと、
前記表示端末とユーザ端末との位置関係が前記所定の条件を満たしている場合、ユーザが購入する意図がある少なくとも１つの商品の商品識別子を含む前記ユーザ端末の購入意図情報を取得するための第１の取得モジュールと、
前記購入意図情報に基づいて、前記購入意図情報に含まれる商品識別子に対応する前記少なくとも１つの商品を表示するための表示モジュールと、を含む、
ことを特徴とする商品表示装置。
【請求項１１】
前記決定モジュールは、
前記ユーザ端末と前記表示端末との間の距離を取得するための第１の取得サブモジュールと、
前記距離に基づいて、前記表示端末とユーザ端末との位置関係が所定の条件を満たしているか否かを決定するための第１の決定サブモジュールと、を含む、
ことを特徴とする請求項１０に記載の装置。
【請求項１２】
前記第１の決定サブモジュールは、
前記距離が第１の所定の距離閾値以下であるか否かを決定するための決定ユニットと、
前記距離が前記第１の所定の距離閾値以下である場合、前記表示端末とユーザ端末との位置関係が所定の条件を満たしていると確認するための確認ユニットと、を含む、
ことを特徴とする請求項１１に記載の装置。
【請求項１３】
前記決定モジュールは、
前記表示端末と前記ユーザ端末との位置関係が、顔認識の要件を満たしているか否かを決定するための第２の決定サブモジュールを含み、
前記第１の取得モジュールは、
前記表示端末と前記ユーザ端末との位置関係が顔認識の要件を満たしている場合、前記  ユーザ端末の購入意図情報を取得するための第２の取得サブモジュールを含む、
ことを特徴とする請求項１０に記載の装置。
【請求項１４】
前記第１の取得モジュールは、
前記ユーザ端末の端末識別子を取得するための第３の取得サブモジュールと、
サーバが、前記端末識別子に対応するユーザ端末の所定のアプリケーションでの検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するための第１の送信サブモジュールと、
前記サーバによって送信された、前記購入意図情報を含むフィードバック情報を受信するための受信サブモジュールと、を含む、
ことを特徴とする請求項１０〜１３のいずれかに記載の装置。
【請求項１５】
所定のアプリケーションでのローカルの検索記録またはショッピングカートの商品リストを取得するための第３の取得モジュールと、
前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するための第４の取得モジュールと、
前記購入意図情報を表示端末に送信するための第１の送信モジュールと、を含む、
ことを特徴とする商品表示装置。
【請求項１６】
前記装置は、
前記表示端末が、前記表示端末と前記ユーザ端末との位置関係が所定の条件を満たしているか否かを決定するように、前記表示端末に現在の位置を送信するための第２の送信モジュールをさらに含む、
ことを特徴とする請求項１５に記載の装置。
【請求項１７】
前記第２の送信モジュールは、
前記ユーザ端末の現在の位置と前記表示端末の位置とを含む地図を取得するための第４の取得サブモジュールと、
前記地図に基づいて、前記ユーザ端末と前記表示端末との距離が第２の所定の距離閾値以下であるか否かを決定するための第３の決定サブモジュールと、
前記ユーザ端末と前記表示端末との距離が第２の所定の距離閾値以下である場合、前記表示端末に前記現在の位置を送信するための第２の送信サブモジュールと、を含む、
ことを特徴とする請求項１６に記載の装置。
【請求項１８】
前記第２の送信モジュールは、
前記表示端末に対応する無線ローカルエリアネットワークとの接続が確立される場合、前記表示端末に現在の位置を送信するための第３の送信サブモジュールを含む、
ことを特徴とする請求項１６に記載の装置。
【請求項１９】
第１のプロセッサと、
第１のプロセッサが実行可能な命令を記憶するための第１のメモリと、を含む商品表示装置であって、
前記第１のプロセッサは、
前記表示端末とユーザ端末との位置関係が所定の条件を満たしているか否かを決定するステップと、
前記表示端末とユーザ端末との位置関係が前記所定の条件を満たしている場合、ユーザが購入する意図がある少なくとも１つの商品の商品識別子を含む前記ユーザ端末の購入意図情報を取得するステップと、
前記購入意図情報に基づいて、前記購入意図情報に含まれる商品識別子に対応する前記少なくとも１つの商品を表示するステップと、を実行するように構成される、
ことを特徴とする商品表示装置。
【請求項２０】
第２のプロセッサと、
第２のプロセッサが実行可能な命令を記憶するための第２のメモリと、を含む商品表示装置であって、
前記第２のプロセッサは、
ローカルの検索記録またはショッピングカートの商品リストを取得するステップと、
前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、
前記購入意図情報を表示端末に送信するステップと、を実行するように構成される、
ことを特徴とする商品表示装置。
【請求項２１】
コンピュータ命令が記憶されているコンピュータ読み取り可能な記憶媒体であって、前記命令がプロセッサによって実行される場合、請求項１〜５のいずれかに記載の方法のステップを実現する、
ことを特徴とするコンピュータ読み取り可能な記憶媒体。
【請求項２２】
コンピュータ命令が記憶されているコンピュータ読み取り可能な記憶媒体であって、前記命令がプロセッサによって実行される場合、請求項６〜９のいずれかに記載の方法のステップを実現する、
ことを特徴とするコンピュータ読み取り可能な記憶媒体。
【発明の詳細な説明】
【技術分野】
【０００１】
本開示は、端末制御技術の分野に関し、特に、商品表示方法および装置に関する。
【背景技術】
【０００２】
生産能力の向上に伴い、商品の種類がますます多くなり、これらの商品はショッピングモールに流れ続けてユーザに選択されて購入される。
【０００３】
従来の技術では、ユーザがショッピングモールに陳列されている多種多様な商品の中から所望の商品を選択することを容易にするために、デパートには、通常、大きなスクリーンが設置されており、当該大きなスクリーンにすべての商品の詳細が循環的に表示される。ユーザーは、大きなスクリーンの表示に応じて各商品の機能を特定して選択することができるため、ユーザエクスペリエンスが良好である。
【発明の概要】
【発明が解決しようとする課題】
【０００４】
従来の技術における課題を克服するために、本開示の実施例は、商品表示方法および装置を提供する。その技術的な解決策は次のとおりです。
【課題を解決するための手段】
【０００５】
本開示の実施例の第１の態様によれば、表示端末に適用される商品表示方法が提供され、当該方法は、前記表示端末とユーザ端末との位置関係が所定の条件を満たしているか否かを決定するステップと、前記表示端末とユーザ端末との位置関係が前記所定の条件を満たしている場合、ユーザが購入する意図がある少なくとも１つの商品の商品識別子を含む前記ユーザ端末の購入意図情報を取得するステップと、前記購入意図情報に基づいて、前記購入意図情報に含まれる商品識別子に対応する前記少なくとも１つの商品を表示するステップと、を含む。
【０００６】
本開示の実施例によって提供された技術的解決策は、以下の有益な効果を有することができる。ショッピングモールの表示端末は、ユーザ端末との位置関係が所定の条件を満たしていると決定した場合に、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【０００７】
一実施例では、前記表示端末とユーザ端末との位置関係が所定の条件を満たしているか否かを決定するステップは、前記ユーザ端末と前記表示端末との間の距離を取得するステップと、前記距離に基づいて、前記表示端末とユーザ端末との位置関係が所定の条件を満たしているか否かを決定するステップと、を含む。
【０００８】
一実施例では、前記距離に基づいて、前記表示端末とユーザ端末との位置関係が所定の条件を満たしているか否かを決定するステップは、前記距離が第１の所定の距離閾値以下であるか否かを決定するステップと、前記距離が前記第１の所定の距離閾値以下である場合、前記表示端末とユーザ端末との位置関係が所定の条件を満たしていると確認するステップと、を含む。
【０００９】
一実施例では、前記表示端末とユーザ端末との位置関係が所定の条件を満たしているか否かを決定するステップは、前記表示端末と前記ユーザ端末との位置関係が、顔認識の要件を満たしているか否かを決定するステップを含み、前記表示端末とユーザ端末との位置関係が前記所定の条件を満たしている場合、前記ユーザ端末の購入意図情報を取得するステップは、前記表示端末と前記ユーザ端末との位置関係が顔認識の要件を満たしている場合、前記ユーザ端末の購入意図情報を取得するステップを含む。
【００１０】
一実施例では、前記ユーザ端末の購入意図情報を取得するステップは、前記ユーザ端末の端末識別子を取得するステップと、サーバが、前記端末識別子に対応するユーザ端末の検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するステップと、前記サーバによって送信された、購入意図情報を含むフィードバック情報を受信するステップと、を含む。
【００１１】
本開示の実施例の第２の態様によれば、ユーザ端末に適用される商品表示方法が提供され、当該方法は、ローカルの検索記録またはショッピングカートの商品リストを取得するステップと、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、前記購入意図情報を表示端末に送信するステップと、を含む。
【００１２】
本開示の実施例によって提供された技術的解決策は、有益な効果を有することができる。ユーザ端末は、ユーザの検索記録またはショッピングカートの商品リストに基づいて、表示端末に購入意図情報を送信することができ、表示端末は、ユーザが購入する意図がある商品を表示し易くなり、表示端末がユーザに合わせてパーソナライズ表示することができないという課題が解決され、表示端末の商品表示の精度が向上し、ユーザエクスペリエンスが向上する。
【００１３】
一実施例では、前記方法は、前記表示端末が、前記表示端末と前記ユーザ端末との位置関係が所定の条件を満たしているか否かを決定するように、前記表示端末に現在の位置を送信するステップをさらに含む。
【００１４】
一実施例では、前記表示端末に現在の位置を送信するステップは、前記ユーザ端末の現在の位置と前記表示端末の位置とを含む地図を取得するステップと、前記地図に基づいて、前記ユーザ端末と前記表示端末との距離が第２の所定の距離閾値以下であるか否かを決定するステップと、前記ユーザ端末と前記表示端末との距離が第２の所定の距離閾値以下である場合、前記表示端末に前記現在の位置を送信するステップと、を含む。
【００１５】
一実施例では、前記表示端末に現在の位置を送信するステップは、前記表示端末に対応する無線ローカルエリアネットワークとの接続が確立される場合、前記表示端末に現在の位置を送信するステップを含む。
【００１６】
本開示の実施例の第３の態様によれば、商品表示装置が提供され、当該装置は、前記表示端末とユーザ端末との位置関係が所定の条件を満たしているか否かを決定するための決定モジュールと、前記表示端末とユーザ端末との位置関係が前記所定の条件を満たしている場合、ユーザが購入する意図がある少なくとも１つの商品の商品識別子を含む前記ユーザ端末の購入意図情報を取得するための第１の取得モジュールと、前記購入意図情報に基づいて、前記購入意図情報に含まれる商品識別子に対応する前記少なくとも１つの商品を表示するための表示モジュールと、を含む。
【００１７】
一実施例では、前記決定モジュールは、前記ユーザ端末と前記表示端末との間の距離を取得するための第１の取得サブモジュールと、前記距離に基づいて、前記表示端末とユーザ端末との位置関係が所定の条件を満たしているか否かを決定するための第１の決定サブモジュールと、を含む。
【００１８】
一実施例では、前記第１の決定サブモジュールは、前記距離が第１の所定の距離閾値以下であるか否かを決定するための決定ユニットと、前記距離が前記第１の所定の距離閾値以下である場合、前記表示端末とユーザ端末との位置関係が所定の条件を満たしていると確認するための確認ユニットと、を含む。
【００１９】
一実施例では、前記決定モジュールは、前記表示端末と前記ユーザ端末との位置関係が、顔認識の要件を満たしているか否かを決定するための第２の決定サブモジュールを含み、前記第１の取得モジュールは、前記表示端末と前記ユーザ端末との位置関係が顔認識の要件を満たしている場合、前記ユーザ端末の購入意図情報を取得するための第２の取得サブモジュールを含む。
【００２０】
一実施例では、前記第１の取得モジュールは、前記ユーザ端末の端末識別子を取得するための第３の取得サブモジュールと、サーバが、前記端末識別子に対応するユーザ端末の所定のアプリケーションでの検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するための第１の送信サブモジュールと、前記サーバによって送信された、前記購入意図情報を含むフィードバック情報を受信するための受信サブモジュールと、を含む。
【００２１】
本開示の実施例の第４の態様によれば、商品表示装置が提供され、当該装置は、所定のアプリケーションでのローカルの検索記録またはショッピングカートの商品リストを取得するための第３の取得モジュールと、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するための第４の取得モジュールと、前記購入意図情報を表示端末に送信するための第１の送信モジュールと、を含む。
【００２２】
一実施例では、前記装置は、前記表示端末が、前記表示端末と前記ユーザ端末との位置関係が所定の条件を満たしているか否かを決定するように、前記表示端末に現在の位置を送信するための第２の送信モジュールをさらに含む。
【００２３】
一実施例では、前記第２の送信モジュールは、前記ユーザ端末の現在の位置と前記表示端末の位置とを含む地図を取得するための第４の取得サブモジュールと、前記地図に基づいて、前記ユーザ端末と前記表示端末との距離が第２の所定の距離閾値以下であるか否かを決定するための第３の決定サブモジュールと、前記ユーザ端末と前記表示端末との距離が第２の所定の距離閾値以下である場合、前記表示端末に前記現在の位置を送信するための第２の送信サブモジュールと、を含む。
【００２４】
一実施例では、前記第２の送信モジュールは、前記表示端末に対応する無線ローカルエリアネットワークとの接続が確立される場合、前記表示端末に現在の位置を送信するための第３の送信サブモジュールを含む。
【００２５】
本開示の実施例の第５の態様によれば、第１のプロセッサと、第１のプロセッサが実行可能な命令を記憶するための第１のメモリと、を含む商品表示装置が提供され、前記第１のプロセッサは、前記表示端末とユーザ端末との位置関係が所定の条件を満たしているか否かを決定するステップと、前記表示端末とユーザ端末との位置関係が前記所定の条件を満たしている場合、ユーザが購入する意図がある少なくとも１つの商品の商品識別子を含む前記ユーザ端末の購入意図情報を取得するステップと、前記購入意図情報に基づいて、前記購入意図情報に含まれる商品識別子に対応する前記少なくとも１つの商品を表示するステップと、を実行するように構成される。
【００２６】
本開示の実施例の第６の態様によれば、第２のプロセッサと、第２のプロセッサが実行可能な命令を記憶するための第２のメモリと、を含む商品表示装置が提供され、前記第２のプロセッサは、ローカルの検索記録またはショッピングカートの商品リストを取得するステップと、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、前記購入意図情報を表示端末に送信するステップと、を実行するように構成される。
【００２７】
本開示の実施例の第７の態様によれば、コンピュータ命令が記憶されているコンピュータ読み取り可能な記憶媒体が提供され、当該命令がプロセッサによって実行される場合に第１の態様のいずれかの実施例に記載の方法のステップを実現する。
【００２８】
本開示の実施例の第８の態様によれば、コンピュータ命令が記憶されているコンピュータ読み取り可能な記憶媒体が提供され、当該命令がプロセッサによって実行される場合に第２の態様のいずれかの実施例に記載の方法のステップを実現する。
【００２９】
なお、上記一般的な説明および以下の詳細な説明は、単に例示および解釈するためのものであり、本開示を限定するものではない。
【図面の簡単な説明】
【００３０】
ここの図面は、本明細書に組み込まれて本明細書の一部を構成し、本開示に適する実施例を示しており、明細書と共に、本開示の原理を説明するに用いられる。
【図１ａ】例示的な一実施例に係る商品展示方法のフローチャートである。
【図１ｂ】例示的な一実施例に係る応用シーンである。
【図１ｃ】例示的な一実施例に係る応用シーンである。
【図２ａ】例示的な一実施例に係る商品展示方法のフローチャートである。
【図２ｂ】例示的な一実施例に係る商品展示方法のフローチャートである。
【図３】例示的な一実施例に係る商品展示方法の相互作用図である。
【図４】例示的な一実施例に係る商品展示方法の相互作用図である。
【図５】例示的な一実施例に係る商品展示方法の相互作用図である。
【図６ａ】例示的な一実施例に係る商品展示装置の概略構成図である。
【図６ｂ】例示的な一実施例に係る商品展示装置の概略構成図である。
【図６ｃ】例示的な一実施例に係る商品展示装置の概略構成図である。
【図６ｄ】例示的な一実施例に係る商品展示装置の概略構成図である。
【図６ｅ】例示的な一実施例に係る商品展示装置の概略構成図である。
【図７ａ】例示的な一実施例に係る商品展示装置の概略構成図である。
【図７ｂ】例示的な一実施例に係る商品展示装置の概略構成図である。
【図７ｃ】例示的な一実施例に係る商品展示装置の概略構成図である。
【図７ｄ】例示的な一実施例に係る商品展示装置の概略構成図である。
【図８】例示的な一実施例に係る商品展示装置の構成ブロック図である。
【発明を実施するための形態】
【００３１】
以下、例示的な実施例を詳細に説明し、その例が図面に示される。以下の説明が図面に関するものである場合、特に明記しない限り、異なる図面における同一数字は、同一または類似の要素を指す。以下の例示的な実施例に記載される実施形態は、本発明と一致するすべての実施形態を表すものではない。むしろ、それらは、添付の特許請求の範囲に詳述される本発明の一部と一致する装置および方法の例に過ぎない。
【００３２】
本開示の実施例によって提供される技術的解決策は、表示端末およびユーザ端末に関し、当該表示端末は、通常、ショッピングモールや商品の多い店舗などの領域に設置されてショッピングモールや店舗の販売商品を表示する、１つまたは複数のスクリーンを含む表示装置であってもよい。当該ユーザ端末は、ユーザによって使用される携帯電話、タブレット、ノートパソコン、およびショッピングウェブサイトまたはショッピングウェブサイトに対応するＡＰＰ（Ａｐｐｌｉｃａｔｉｏｎ，アプリケーション）にログインすることができる他のデバイスであってもよく、本開示の実施例はこれについて限定しない。従来の技術において、店舗に設置された表示端末は、店舗で販売されている商品のみを表示することができ、店舗で多い商品が販売される場合には、ユーザは、購入する商品の詳細情報を取得するために表示端末の前で長時間見る必要があるため、ユーザエクスペリエンスがよくない。本開示の実施例によって提供される技術的解決策において、ショッピングモールの表示端末は、ユーザ端末との位置関係が所定の条件を満たしていると決定した場合に、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができない課題が解決され、表示端末の商品表示の精度が向上し、ユーザエクスペリエンスが向上する。
【００３３】
本開示の実施例は、商品表示を実現する方法を提供し、当該方法を実行する実行エンティティは、表示端末およびユーザ端末である。本開示の実施例は、方法の実行エンティティに合わせて２つの実施例を用意しており、以下に説明する。
【００３４】
表示端末側
図１ａは、例示的な一実施例に係る商品展示方法のフローチャートであり、当該方法は、表示端末に適用され、図１ａに示すように、当該商品表示方法は、以下のステップ１０１〜ステップ１０３を含む。
【００３５】
ステップ１０１において、表示端末とユーザ端末との位置関係が所定の条件を満たしているか否かを決定する。
【００３６】
例示的には、当該ユーザ端末は、ユーザによって使用される携帯電話、タブレットまたはノートパソコンなどであってもよい。当該所定の条件は、表示端末とユーザ端末との位置関係を限定するためのものであって、表示端末によって表示されるコンテンツが、当該ユーザ端末を利用するユーザに見られるようにすることができ、表示端末の無効表示が回避される。例えば、表示端末は、所定の領域を記憶しており、当該所定の領域が当該表示端末の最適な表示領域であってもよいし、ユーザによって自ら定義された他の領域であってもよく、本開示の実施例はこれについて限定しない。ユーザ端末の現在の位置が当該表示端末の所定の領域内にある場合、表示端末とユーザ端末との位置関係が所定の条件を満たしていることを示し、ユーザ端末の現在の位置が当該表示端末の所定の領域外にある場合、表示端末と表示端末との位置関係が所定の条件を満たしていないことを示す。
【００３７】
選択可能に、ユーザ端末は、現在の位置を取得し、例えば、ＧＰＳ（Ｇｌｏｂａｌ  Ｐｏｓｉｔｉｏｎｉｎｇ  Ｓｙｓｔｅｍ，全地球測位システム）モジュールにより現在の位置を取得し、当該現在の位置を含む地図を取得することができ、当該地図には、複数の異なる店舗またはショッピングモールに設置された表示端末の詳細情報がマーキングされており、当該詳細情報は、対応する表示端末の位置を含み、また、表示端末の端末識別子をさらに含むこともできる。当該端末識別子は表示端末のネットワークアドレスであってもよい。ユーザ端末は、当該地図を取得した後、当該地図に基づいて表示端末との位置関係が所定の条件を満たしているか否かを決定することができ、当該展示端末は、当該地図にマーキングされているショッピングモールや店舗のいずれかに設置された展示端末であってもよいし、または当該地図にマーキングされている当該ユーザ端末の現在の位置に最も近いショッピングモールや店舗に設置された表示端末であってもよいし、またはユーザの指示によって決定されたショッピングモールや店舗に設置された表示端末であってもよく、本発明の実施例はこれについて限定しない。
【００３８】
例示的には、表示端末は、当該ユーザ端末の現在の位置に基づいて現在ユーザ端末との間の距離を決定し、ユーザ端末との間の距離に基づいてユーザ端末との位置関係が所定の条件を満たしているか否かを決定することができる。選択可能に、表示端末とユーザ端末との距離と、第１の所定の距離閾値との関係に基づいて当該位置関係が所定の条件を満たしているか否かを決定することができる。当該距離が第１の所定の距離閾値以下である場合、当該位置関係が所定の条件を満たしていることを示し、当該距離が第１の所定の距離閾値より大きい場合、当該位置関係が所定の条件を満たしていないことを示す。具体的には、ユーザ端末は、現在の位置と表示端末の詳細情報とを含む地図を取得した後、当該地図に基づいて表示端末との距離が所定の第２の所定の距離閾値以下であるか否かを決定することができる。当該表示端末との距離が第２の所定の距離閾値以下である場合、当該ユーザ端末を使用するユーザが、当該表示端末に対応する店舗に入って商品を購入する可能性があることを示す。表示端末がパーソナライズ表示するように、ユーザ端末は、当該地図における当該表示端末の詳細情報から当該表示端末の端末識別子を取得した後、所定の周期または移動速度に従って当該ユーザ端末の現在の位置を取得し、当該表示端末の現在の位置および表示端末の端末識別子に基づいて当該表示端末にユーザ端末の現在の位置を含む位置情報を送信することができる。表示端末は、当該位置情報を取得した後、当該ユーザ端末の現在の位置および自らの位置に基づいて、ユーザ端末との距離が第１の所定の距離閾値以下であるか否かを決定することができる。当該表示端末とユーザ端末との距離が第１の所定の距離閾値以下である場合、ユーザ端末と表示端末との距離が比較的近く、すなわち当該ユーザ端末を使用するユーザが既に店舗に入り、表示端末によって表示されたコンテンツを当該ユーザが見ることができることを示す。当該表示端末とユーザ端末との距離が第１の所定の距離閾値より大きい場合、ユーザ端末と表示端末との距離が比較的遠く、当該ユーザ端末を使用するユーザが店舗に入っていないか、または表示端末によって表示されたコンテンツをユーザが一時的に見ることができないことを示す。
【００３９】
選択可能に、表示端末にはカメラが設置されており、当該カメラにより視聴領域の画像を撮影し、当該視聴領域の画像に基づいて当該視聴領域内で動くユーザの顔画像が取得することができる。顔認識する場合に、カメラにより比較的鮮明で完全な顔画像を撮影する必要があるため、ユーザ端末と表示端末との距離が十分に近い必要がある。当該距離の場合でも、ユーザが表示端末によって表示されるコンテンツを見ることができるので、表示端末は、取得された顔画像の鮮明度および完全性が顔認識の要件を満たしているか否かに基づいて、ユーザ端末と表示端末との距離が所定の条件を満たしているか否かを決定することができる。具体的には、表示端末は、ユーザ端末との距離が顔認識の要件を満たしているか否か、すなわち、表示端末が当該ユーザ端末を使用するユーザの顔を認識することができるか否かを決定することができる。当該表示端末とユーザ端末との距離が顔認識の要件を満たしている場合、すなわち表示端末によって取得された、当該ユーザ端末を使用するユーザの顔画像の鮮明度および完全性が比較的高く、当該ユーザの顔を認識することができる場合、この時の表示端末とユーザ端末との位置関係が比較的近く、表示端末によって表示されたコンテンツを当該ユーザ端末を使用するユーザが見ることができ、この時の表示端末とユーザ端末との位置関係が所定の条件を満たしていることを示す。当該表示端末とユーザ端末との距離が顔認識の要件を満たしていない場合、すなわち表示端末によって取得された当該ユーザ端末を使用するユーザの顔画像の鮮明度および完全性が比較的低く、当該顔画像に基づいて当該ユーザの顔を認識することができない場合、表示端末とユーザ端末との位置関係が比較的遠く、表示端末によって表示されたコンテンツを当該ユーザ端末を使用するユーザが見ることができず、この時の表示端末とユーザ端末との位置関係が所定の条件を満たしていないことを示す。
【００４０】
ステップ１０２において、表示端末とユーザ端末との位置関係が所定の条件を満たしている場合、ユーザが購入する意図がある少なくとも１つの商品の商品識別子を含むユーザ端末の購入意図情報を取得する。
【００４１】
例示的には、表示端末とユーザ端末との位置関係が所定の条件を満たしている場合、表示端末とユーザ端末との距離が比較的近いことを示し、この時、表示端末は、ユーザ端末の購入意図情報を取得することができ、当該購入意図情報に含まれるユーザが購入する意図がある１つまたは複数の商品を表示する。
【００４２】
選択可能に、ユーザ端末が表示端末に位置情報を送信する場合、当該位置情報に当該ユーザ端末の端末識別子を追加することもでき、当該端末識別子は、所定のショッピングウェブサイトにログインするユーザ端末のアカウント、またはユーザ端末のＳＩＭ（Ｓｕｂｓｃｒｉｂｅｒ  Ｉｄｅｎｔｉｆｉｃａｔｉｏｎ  Ｍｏｄｕｌｅ，加入者識別モジュール）カード識別子であってもよいし、当該ユーザ端末を使用するユーザの特徴情報であってもよく、本実施例はこれについて限定しない。当該端末識別子が、所定のショッピングウェブサイトにログインするユーザ端末のアカウントであることを例とし、すなわち、ユーザ端末によって表示端末に送信される位置情報は、所定のショッピングウェブサイトにログインするユーザ端末のアカウントをさらに含む。表示端末は、ユーザ端末との位置関係が所定の条件を満たしていると決定した場合に、当該位置情報に含まれるアカウントに基づいてサーバにアカウントを含むクエリ情報を送信することができ、当該サーバは、所定のショッピングウェブサイトのサーバであってもよく、当該サーバは、異なるアカウントに合わせて、異なるユーザ端末の当該所定のショッピングウェブサイトでの検索記録またはショッピングカートの商品リストを記憶する。当該サーバは、当該クエリ情報を取得した後、当該クエリ情報に含まれる当該アカウントに基づいて、記憶された情報をクエリし、当該アカウントに対応するユーザ端末の当該所定のショッピングサイトでの検索記録またはショッピングカートの商品リストを取得し、その後、当該検索記録またはショッピングカートの商品リストに基づいて当該アカウントに対応するユーザ端末の購入意図情報を取得することができる。具体的には、サーバは、当該検索記録に係る複数の商品を取得した後、当該複数の商品から検索回数が所定の回数閾値以上である少なくとも１つの商品を取得し、当該少なくとも１つの商品をユーザが購入する意図がある商品として決定することができる。あるいは、サーバは、当該ショッピングカートの商品リストに含まれる少なくとも１つの商品を取得し、当該少なくとも１つの商品のすべてをユーザが購入する意図がある商品として確認することもできる。サーバは、当該検索記録またはショッピングカートの商品リストに基づいてユーザが購入する意図がある１つまたは複数の商品を決定した後、当該１つまたは複数の商品の商品識別子を取得し、その後、当該１つまたは複数の商品の商品識別子に基づいて当該ユーザ端末の購入意図情報を生成し、当該表示端末に当該購入意図情報を含むフィードバック情報を送信することができる。
【００４３】
あるいは、当該端末識別子が、当該ユーザ端末を使用するユーザの顔特徴情報であることを例とし、表示端末は、カメラにより視聴領域の画像を撮影し、当該視聴領域の画像に基づいて当該視聴領域内で動くユーザの顔画像を取得することができる。当該顔画像によって顔認識することができるか否かを決定し、当該顔画像によって顔認識することができる場合、表示端末とユーザ端末との位置関係が顔認識の要件を満たしていることを示し、この時、表示端末は、当該顔認識の結果に基づいて購入意図情報を取得することができる。具体的には、表示端末は、当該顔認識画像によって顔認識を行って得られた顔特徴情報を取得した後、当該顔特徴情報に基づいてサーバに顔特徴情報を含むクエリ情報を送信することができる。当該サーバには、対応するユーザの顔特徴情報に基づいて複数のユーザ端末の所定のショッピングウェブサイトでの検索記録またはショッピングカートの商品リストが記憶されている。当該サーバは、当該クエリ情報を取得した後、当該クエリ情報に含まれる顔特徴情報に基づいて記憶された情報をクエリし、当該顔特徴情報に対応するユーザ端末の所定のショッピングウェブサイトでの検索記録またはショッピングカートの商品リストを取得し、その後、検索記録やショッピングカートの商品リストに基づいて当該顔特徴情報に対応するユーザ端末の購入意図情報を取得することができる。当該サーバが購入意図情報を取得するプロセスは、上記実施例を参照することができ、サーバは、購入意図情報を取得した後、表示端末に当該購入意図情報を含むフィードバック情報を送信することができる。
【００４４】
選択可能に、ユーザ端末は、表示端末に位置情報を送信する場合、当該位置情報に当該購入意図情報をさらに運ぶことができる。具体的には、ユーザ端末には所定のショッピングサイトのＡＰＰがインストールされており、普段当該ユーザ端末を使用するユーザがＡＰＰを用いて商品を閲覧したり、商品を購入したりすることがあるため、当該ＡＰＰにはユーザーの検索記録が存在し、または当該ＡＰＰのショッピングカートの商品リストには、ユーザが購入する意図がある少なくとも１つの商品が存在する。ユーザ端末は、表示端末との位置関係が所定の条件を満たしていると決定した場合、現在の位置をリアルタイムで取得するとともに、当該ＡＰＰの検索記録またはショッピングカートの商品リストを取得し、当該検索記録またはショッピングカートの商品リストに基づいて購入意図情報を取得した後、リアルタイムで取得された現在の位置および購入意図情報に基づいて位置情報を生成し、表示端末の端末識別子に基づいて当該位置情報を表示端末に送信することができる。例えば、ユーザ端末は、当該検索記録に係る複数の商品を取得し、当該複数の商品から検索回数が所定の回数閾値以上である少なくとも１つの商品を取得し、当該少なくとも１つの商品をユーザが購入する意図がある商品として決定することができる。あるいは、ユーザ端末は、当該ショッピングカートの商品リストに含まれる少なくとも１つの商品を取得し、当該少なくとも１つの商品をユーザが購入する意図がある商品として確認することもできる。ユーザ端末は、当該検索記録またはショッピングカートの商品リストに基づいてユーザが購入する意図がある１つまたは複数の商品を決定した後、１つまたは複数の商品の商品識別子を取得し、当該１つまたは複数の商品の商品識別子に基づいて当該ユーザ端末の購入意図情報を生成することができる。
【００４５】
ステップ１０３において、購入意図情報に基づいて、購入意図情報に含まれる商品識別子に対応する当該少なくとも１つの商品を表示する。
【００４６】
例示的には、当該表示端末には、１つまたは複数のスクリーンが設置されている。
選択可能に、図１ｂに示すように、ユーザ端末１０ｂに１つのスクリーン１０ａ１が設けられることを例とし、表示端末１０ａは、ユーザ端末１０ｂとの距離が第１の所定の距離閾値Ｈ以下であると決定した場合、ユーザ端末１０ｂの端末識別子に基づいて当該ユーザ端末１０ｂの購入意図情報を取得し、すなわち、当該ユーザ端末１０ｂを使用するユーザが購入する意図がある１つまたは複数の商品を取得することができ、その後、当該購入意図情報に含まれる商品識別子に対応する、外観、型番、機能の簡単説明および価格などの情報を含む１つまたは複数の商品の詳細を当該スクリーン１０ａ１に循環的に表示することができ、ユーザが選択し易くなる。
【００４７】
あるいは、図１ｃに示すように、表示端末１０ａには複数のスクリーンが設置されることを例とし、当該複数のスクリーンは、スクリーン１０ａ１と、スクリーン１０ａ２と、スクリーン１０ａ３とを含んでもよい。表示端末１０ａは、当該複数のスクリーンのいずれかとユーザ端末１０ｂとの距離が第１の所定の距離閾値Ｈ以下であると決定した場合、例えば、スクリーン１０ａ１とユーザ端末１０ｂとの距離が第１の所定の距離閾値以下である場合、ユーザ端末１０ｂの端末識別子に基づいて当該ユーザ端末１０ｂの購入意図情報を取得し、すなわち当該ユーザ端末１０ｂを使用するユーザが購入する意図がある１つまたは複数の商品を取得することができ、その後、当該購入意図情報に含まれる商品識別子に対応する複数の商品の詳細が当該複数のスクリーンにそれぞれ表示し、すなわち、当該購入意図情報に含まれる商品識別子に対応する複数の商品の詳細は、当該スクリーン１０ａ１、スクリーン１０ａ２、およびスクリーン１０ａ３にそれぞれ表示することができる。
【００４８】
実際の使用中では、１つの店舗内に複数の表示端末が設置される場合があり、各表示端末のすべてが、本開示の実施例によって提供される商品表示方法に従って商品を表示することができる。
【００４９】
本開示の実施例によって提供された技術的解決策において、ショッピングモールの表示端末は、ユーザ端末との位置関係が所定の条件を満たしていると決定した場合に、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【００５０】
ユーザ端末側
図２ａは、例示的な一実施例に係る商品展示方法のフローチャートであり、当該方法は、表示端末に適用され、図２ａに示すように、当該商品表示方法は、以下のステップ２０１〜ステップ２０３を含む。
【００５１】
ステップ２０１において、ローカルの検索記録またはショッピングカートの商品リストを取得する。
【００５２】
例示的には、ユーザ端末には所定のショッピングサイトのＡＰＰがインストールされており、普段当該ユーザ端末を使用するユーザがＡＰＰにより商品を閲覧したり、商品を購入したりすることがあるため、当該ＡＰＰにはユーザの検索記録や当該ＡＰＰのショッピングカートの商品リストが記憶されている。ユーザ端末は、表示端末に購入意図情報を送信する必要があると決定した場合、当該ＡＰＰの検索記録またはショッピングカートの商品リストを取得することができる。
【００５３】
あるいは、ユーザは、当該ユーザ端末に設置されたブラウザを介してショッピングウェブサイトにログインし、当該ショッピングウェブサイトで商品をチェックしたり、商品を購入したりすることができるので、当該ブラウザは、ユーザの検索記録または当該ショッピングウェブサイトのショッピングカートの商品リストを記録することができる。ユーザ端末は、表示端末に購入意図情報を送信する必要があると決定した場合、当該ブラウザによって記録された情報に基づいて、当該検索記録またはショッピングカートの商品リストを取得することができる。
【００５４】
ステップ２０２において、検索記録またはショッピングカートの商品リストに基づいて、検索記録に対応する少なくとも１つの商品の商品識別子および/またはショッピングカートの商品リストに含まれる少なくとも１つの商品の商品識別子を含む購入意図情報を取得する。
【００５５】
例示的には、ユーザ端末は、当該検索記録に係る複数の商品を取得した後、当該複数の商品の中から検索回数が所定の回数閾値以上である少なくとも１つの商品を取得し、当該少なくとも１つの商品をユーザが購入する意図がある商品として決定することができる。あるいは、ユーザ端末は、当該ショッピングカートの商品リストに含まれる少なくとも１つの商品を取得し、当該少なくとも１つの商品のすべてをユーザが購入する意図がある商品として確認することもできる。サーバは、当該検索記録およびショッピングカートの商品リストに基づいてユーザが購入する意図がある１つまたは複数の商品を決定した後、当該１つまたは複数の商品の商品識別子を取得し、その後、当該１つまたは複数の商品の商品識別子に基づいて当該ユーザ端末の購入意図情報を生成することができる。
【００５６】
ステップ２０３において、当該購入意図情報を表示端末に送信する。
【００５７】
例示的には、ユーザ端末は、表示端末との距離をリアルタイムで決定し、当該距離が小さい場合、表示端末に購入意図情報を送信することができる。具体的には、ユーザ端末は、自らの位置をリアルタイムで取得し、当該位置を含む地図を取得することができ、当該地図には、複数の異なる店舗またはショッピングモールに設置された表示端末の詳細情報がマーキングされており、当該詳細情報は、対応する表示端末の位置を含み、また、表示端末の端末識別子をさらに含むこともできる。当該端末識別子は表示端末のネットワークアドレスであってもよい。ユーザ端末は、当該地図を取得した後、当該地図に基づいて現在の位置と表示端末との距離を決定することができ、当該展示端末は、当該地図にマーキングされているショッピングモールや店舗のいずれかに設置された展示端末であってもよいし、または当該地図にマーキングされている当該ユーザ端末の現在の位置に最も近いショッピングモールや店舗に設置された表示端末であってもよいし、またはユーザの指示によって決定されたショッピングモールや店舗に設置された表示端末であってもよく、本発明の実施例はこれについて限定しない。当該表示端末との距離が第３の所定の距離閾値以下である場合、ユーザ端末と当該表示端末との距離が比較的近く、すなわち当該ユーザ端末を使用するユーザが既に店舗に入り、表示端末によって表示されたコンテンツを当該ユーザが見ることができる可能性があることを示し、この時、ユーザ端末は、当該表示端末に購入意図情報を送信することができ、当該表示端末は、当該購入意図情報に含まれる商品識別子に対応する１つまたは複数の商品を表示する。
【００５８】
あるいは、当該地図にマーキングされている表示端末の詳細情報は、当該表示端末に対応する無線ローカルエリアネットワークに含まれるネットワーク識別子をさらに含んでもよく、当該ネットワーク識別子は、Ｗｉ-Ｆｉ（Ｗｉｒｅｌｅｓｓ  Ｆｉｄｅｌｉｔｙ，ワイヤレスフィディリティ）の名称であってもよい。ユーザ端末は、当該地図に基づいて、表示端末との距離が第４の所定の距離閾値以下であるか否かを決定することができ、当該表示端末との距離が第４の所定の距離閾値以下である場合、無線ローカルエリアネットワークに現在アクセスしているか否かをリアルタイムで決定する。無線ローカルエリアネットワークに現在アクセスしている場合、アクセスしている無線ローカルエリアネットワークのネットワーク識別子が、地図にマーキングされている当該表示端末に対応する無線ローカルエリアネットワークのネットワーク識別子と同一であるか否かを決定する。同一である場合、ユーザ端末と表示端末との距離が比較的近く、すなわち当該ユーザ端末を使用するユーザが店舗に入り、表示端末によって表示されたコンテンツをユーザが見ることができる可能性があることを示し、この時、ユーザ端末は、当該表示端末に購入意図情報を送信することができ、当該表示端末は、当該購入意図情報に含まれる商品識別子に対応する複数の商品を表示する。同一でない場合、ユーザ端末は、当該表示端末に対応する無線ローカルエリアネットワークにアクセスしているか否かを検出し続ける。
【００５９】
本開示の実施例によって提供される技術的解決策において、ユーザ端末は、ユーザの検索記録またはショッピングカートの商品リストに基づいて、表示端末に購入意図情報を送信することができ、表示端末は、ユーザが購入する意図がある商品を表示し易くなり、表示端末がユーザに合わせてパーソナライズ表示することができないという課題が解決され、表示端末の商品表示の精度が向上し、ユーザエクスペリエンスが向上する。
【００６０】
一実施例では、図２ｂに示すように、当該方法は、表示端末が、表示端末とユーザ端末との位置関係が所定の条件を満たしているか否かを決定するように、表示端末に現在の位置を送信するステップ２０４をさらに含む。
【００６１】
例示的には、ユーザ端末は、さらに、表示端末に現在の位置を送信することもできる。表示端末は、ユーザ端末の現在の位置を取得した後、当該現在の位置に基づいて当該ユーザ端末との位置関係を決定し、当該位置関係が所定の条件を満たしている場合、当該ユーザ端末の購入意図情報を取得して表示する。
【００６２】
選択可能に、ユーザ端末は、自らの位置をリアルタイムで取得するとともに、当該位置を含む地図を取得することもでき、当該地図には、異なる店舗またはショッピングモールに設置された複数の表示端末の詳細情報がマーキングされており、当該詳細情報は、対応する表示端末を含み、また、表示端末の端末識別子をさらに含むことができる。当該端末識別子は、表示端末のネットワークアドレスであってもよい。ユーザ端末は、当該地図を取得した後、当該地図に基づいて現在の位置と表示端末との距離を決定し、当該距離が第２所定の距離閾値以下である場合、当該ユーザ端末を使用するユーザが店に入って商品を購入する可能性があると示す。表示端末がパーソナライズ表示を行なさせるために、ユーザ端末は、当該地図にマーキングされた当該表示端末の詳細情報から当該表示端末の端末識別子を取得した後、当該表示端末の端末識別子に基づいてリアルタイムまたは所定の周期ごとに当該表示端末に位置情報を送信することができ、当該位置情報は、ユーザ端末によってリアルタイムで取得された現在の位置を含む。
【００６３】
あるいは、当該地図にマーキングされている表示端末の詳細情報は、当該表示端末に対応する無線ローカルエリアネットワークに含まれるネットワーク識別子をさらに含んでもよく、当該ネットワーク識別子は、Ｗｉ-Ｆｉ（Ｗｉｒｅｌｅｓｓ  Ｆｉｄｅｌｉｔｙ，ワイヤレスフィディリティ）の名称であってもよい。ユーザ端末は、現在無線ローカルエリアネットワークにアクセスしているか否かをリアルタイムで決定することができる。無線ローカルエリアネットワークに既にアクセスしている場合、アクセスしている無線ローカルエリアネットワークのネットワーク識別子が、地図にマーキングされた表示端末に対応する無線ローカルエリアネットワークのネットワーク識別子と同一であるか否かを決定する。同一である場合、当該ユーザ端末が、すでに当該店舗に入った可能性があると示し、この時、ユーザ端末は、当該表示端末に位置情報を送信することができ、当該位置情報は、当該ユーザ端末によってリアルタイムで取得された現在の位置を含み、表示端末は、当該位置情報に含まれるユーザ端末の現在の位置に基づいて、当該ユーザ端末との位置関係が所定の条件を満たしているか否かを決定し、当該位置関係が所定の条件を満たしている場合、当該ユーザ端末の購入意図情報に含まれる商品識別子に対応する複数の商品を取得して表示する。同一でない場合、ユーザ端末は、当該表示端末に対応する無線ローカルエリアネットワークにアクセスしているか否かを検出し続ける。
【００６４】
本開示の実施例によって提供された技術的解決策において、ユーザ端末は、表示端末に現在の位置を送信することができ、表示端末は、ユーザ端末との距離を決定し易くなり、当該距離に基づいていつユーザが購入する意図がある商品を表示するのかを決定し、ユーザが見られない場合の表示端末の無効表示が回避され、表示端末の商品表示の精度が向上し、ユーザエクスペリエンスが向上する。
【００６５】
以下に、いくつかの実施例により実現プロセスを詳細に説明する。
【００６６】
図３は、例示的な一実施例に係る商品展示方法の相互作用図である。実行ユティリティは、表示端末、ユーザ端末およびサーバであり、図３に示すように、当該方法は、以下のステップ３０１〜ステップ３１０を含む。
【００６７】
ステップ３０１において、ユーザ端末は、現在の位置を取得する。
ステップ３０２において、ユーザ端末は、当該現在の位置を含む地図を取得し、当該地図は、当該ユーザ端末の現在の位置および表示端末の詳細情報を含み、当該詳細情報は、表示端末の位置および表示端末の端末識別子を含む。
【００６８】
ステップ３０３において、ユーザ端末は、当該地図における当該表示端末の位置に基づいて、当該表示端末との距離が第２の所定の距離閾値以下であるか否かを決定し、当該表示端末との距離が第２の所定の距離閾値より大きい場合、ステップ３０１を実行し、当該表示端末との距離が第２の所定の距離閾値以下である場合、ステップ３０４を実行する。
【００６９】
ステップ３０４において、ユーザ端末は、表示端末にユーザ端末によってリアルタイムで取得された現在の位置と当該ユーザ端末の端末識別子とを含む位置情報をリアルタイムで送信する。
【００７０】
ステップ３０５において、表示端末は、位置情報を受信し、リアルタイムで当該ユーザ端末の現在の位置に基づいて当該ユーザ端末との間の距離が第１の所定の距離閾値以下であるか否かを決定し、当該ユーザ端末との間の距離が第１の所定の距離閾値より大きい場合、ステップ３０５を実行し、当該ユーザ端末との間の距離が第１の所定の距離閾値以下である場合、ステップ３０５を実行する。
【００７１】
ステップ３０６において、表示端末は、当該位置情報に含まれるユーザ端末の端末識別子に基づいて、サーバにクエリ情報を送信する。
【００７２】
ステップ３０７において、サーバは、当該クエリ情報に含まれる端末識別子に基づいて、当該端末識別子に対応するユーザ端末の検索記録またはショッピングカートの商品リストを取得する。
【００７３】
ステップ３０８において、サーバは、当該検索記録またはショッピングカートの商品リストに基づいて、当該端末識別子に対応するユーザ端末の購入意図情報を取得する。
【００７４】
ステップ３０９において、サーバは、当該購入意図情報に基づいて、表示端末に購入意図情報を含むフィードバック情報を送信する。
ステップ３１０において、表示端末は、当該購入意図情報に含まれる商品識別子に対応する少なくとも１つの商品を表示する。
【００７５】
本開示の実施例は、商品表示方法を提供し、ショッピングモールの表示端末は、ユーザ端末との距離が第１の所定の距離閾値以下であると決定した場合、当該ユーザ端末を使用するユーザが購入する意図がある少なくとも１つの商品を取得して表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【００７６】
図４は、例示的な一実施例に係る商品展示方法の相互作用図である。実行ユティリティは、表示端末およびユーザ端末であり、図４に示すように、当該方法は、以下のステップ４０１〜ステップ４０９を含む。
【００７７】
ステップ４０１において、ユーザ端末は、現在の位置を取得する。ステップ４０２において、ユーザ端末は、当該現在の位置を含む地図を取得し、当該地図は、当該ユーザ端末の現在の位置および表示端末の位置情報を含み、当該位置情報は、表示端末の位置および表示端末の端末識別子を含む。
【００７８】
ステップ４０３において、ユーザ端末は、当該地図における表示端末の位置に基づいて、当該表示端末との距離が第２の所定の距離閾値以下であるか否かを決定し、当該表示端末との距離が第２の所定の距離閾値より大きい場合、ステップ４０１を実行し、当該表示端末との距離が第２の所定の距離閾値以下である場合、ステップ４０４を実行する。
【００７９】
ステップ４０４において、ユーザ端末は、ローカルにインストールされた所定のショッピングウェブサイトのＡＰＰの検索記録またはショッピングカートの商品リストを取得する。
【００８０】
ステップ４０５において、ユーザ端末は、当該検索記録またはショッピングカートの商品リストに基づいて当該ユーザ端末の購入意図情報を取得する。
ステップ４０６において、表示端末は、リアタイムで取得された現在の位置および当該購入意図情報に基づいて、位置情報を生成する。
ステップ４０７において、ユーザ端末は、当該位置情報を表示端末に送信する。
【００８１】
ステップ４０８において、表示端末は、位置情報を受信し、リアルタイムで当該ユーザ端末の現在の位置に基づいて当該ユーザ端末との間の距離が第１の所定の距離閾値以下であるか否かを決定し、当該ユーザ端末との間の距離が第１の所定の距離閾値より大きい場合、ステップ４０８を実行し、当該ユーザ端末との間の距離が第１の所定の距離閾値以下である場合、ステップ４０９を実行する。
【００８２】
ステップ４０９において、表示端末は、当該位置情報に含まれる購入意図情報に含まれる商品識別子に対応する少なくとも１つの商品を表示する。
【００８３】
本開示の実施例は、商品表示方法を提供し、表示端末は、ユーザ端末との距離が第１の所定の距離以下であると決定した場合、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【００８４】
図５は、例示的な一実施例に係る商品展示方法の相互作用図である。実行ユティリティは、表示端末およびサーバであり、図５に示すように、当該方法は、以下のステップ５０１〜ステップ５０９を含む。
【００８５】
ステップ５０１において、表示端末は、設置されたカメラにより視聴領域の画像を撮影する。
ステップ５０２において、表示端末は、当該視聴領域の画像からユーザの顔画像を取得する。
【００８６】
ステップ５０３において、表示端末は、当該顔画像によって顔認識することができるか否かを決定し、当該顔画像によって顔認識することができない場合、ステップ５０１を実行し、当該顔画像によって顔認識することができる場合、ステップ５０４を実行する。
ステップ５０４において、表示端末は、当該顔画像の顔認識によって得られた顔特徴情報を取得する。
【００８７】
ステップ５０５において、表示端末は、当該顔特徴情報に基づいて、サーバに当該顔特徴情報を含むクエリ情報を送信する。
ステップ５０６において、サーバは、当該クエリ情報に含まれる顔特徴情報に基づいて、当該顔特徴情報に対応するユーザ端末の検索記録またはショッピングカートの商品リストを取得する。
【００８８】
ステップ５０７において、ユーザ端末は、当該検索記録またはショッピングカートの商品リストに基づいて、当該顔特徴情報に対応するユーザ端末の購入意図情報を取得する。
ステップ５０８において、サーバは、当該購入意図情報に基づいて、表示端末に当該購入意図情報を含むフィードバック情報を送信する。
ステップ５０９において、表示端末は、当該購入意図情報に含まれる商品識別子に対応する少なくとも1つの商品を表示する。
【００８９】
本開示の実施例は、商品表示方法を提供し、表示端末はユーザの顔特徴情報に基づいて、当該ユーザ端末を使用するユーザが購入する意図がある少なくとも１つの商品を取得して表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【００９０】
以下は、本開示の方法の実施例を実行できる本開示の装置の実施例である。
【００９１】
図６ａは、例示的な一実施例に係る商品展示装置６０の概略構成図であり、当該装置６０は、ソフトウェア、ハードウェア、またはその両方の組み合わせによって、電子デバイスの一部または全部として実装され得る。図６ａに示すように、商品表示装置６０は、前記表示端末とユーザ端末との位置関係が所定の条件を満たしているか否かを決定するための決定モジュール６０１と、前記表示端末とユーザ端末との位置関係が前記所定の条件を満たしている場合、ユーザが購入する意図がある少なくとも１つの商品の商品識別子を含む前記ユーザ端末の購入意図情報を取得するための第1の取得モジュール６０２と、前記購入意図情報に基づいて、前記購入意図情報に含まれる商品識別子に対応する前記少なくとも１つの商品を表示するための表示モジュール６０３と、を含む。
【００９２】
一実施例では、図６ｂに示すように、前記決定モジュール６０１は、前記ユーザ端末と前記表示端末との間の距離を取得するための第１の取得サブモジュール６０１１と、前記距離に基づいて、前記表示端末とユーザ端末との位置関係が所定の条件を満たしているか否かを決定するための第１の決定サブモジュール６０１２と、を含む。
【００９３】
一実施例では、図６ｃに示すように、第１の決定サブモジュール６０１２は、前記距離が第１の所定の距離閾値以下であるか否かを決定するための決定ユニット６０１２ａと、前記距離が前記第１の所定の距離閾値以下である場合、前記表示端末とユーザ端末との位置関係が所定の条件を満たしていると確認するための確認ユニット６０１２ｂと、を含む。
【００９４】
一実施例では、図６ｄに示すように、前記決定モジュール６０１は、前記表示端末と前記ユーザ端末との位置関係が、顔認識の要件を満たしているか否かを決定するための第２の決定サブモジュール６０１２を含み、前記第１の取得モジュール６０２は、前記表示端末と前記ユーザ端末との位置関係が顔認識の要件を満たしている場合、前記ユーザ端末の購入意図情報を取得するための第２の取得サブモジュール６０２２を含む。
【００９５】
一実施例では、図６ｅに示すように、前記第１の取得モジュール６０２は、前記ユーザ端末の端末識別子を取得するための第３の取得サブモジュール６０２３と、サーバが、前記端末識別子に対応するユーザ端末の所定のアプリケーションでの検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するための第１の送信サブモジュール６０２４と、前記サーバによって送信された、前記購入意図情報を含むフィードバック情報を受信するための受信サブモジュール６０２５と、を含む。
【００９６】
本開示の実施例は、商品表示装置を提供し、当該装置は、ユーザ端末との位置関係が所定の条件を満たしていると決定した場合、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【００９７】
図７ａは、例示的な一実施例に係る商品展示装置７０の概略構成図であり、当該装置７０は、ソフトウェア、ハードウェア、またはその両方の組み合わせによって、電子デバイスの一部または全部として実装され得る。図７ａに示すように、商品表示装置７０は、所定のアプリケーションでのローカルの検索記録またはショッピングカートの商品リストを取得するための第３の取得モジュール７０１と、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するための第４の取得モジュール７０２と、前記購入意図情報を表示端末に送信するための第１の送信モジュール７０３と、を含む。
【００９８】
一実施例では、図７ｂに示すように、前記装置７０は、前記表示端末が、前記表示端末と前記ユーザ端末との位置関係が所定の条件を満たしているか否かを決定するように、前記表示端末に現在の位置を送信するための第２の送信モジュール７０４をさらに含む。
【００９９】
一実施例では、図７ｃに示すように、前記第２の送信モジュール７０４は、前記ユーザ端末の現在の位置と前記表示端末の位置とを含む地図を取得するための第４の取得サブモジュール７０４１と、前記地図に基づいて、前記ユーザ端末と前記表示端末との距離が第２の所定の距離閾値以下であるか否かを決定するための第３の決定サブモジュール７０４２と、前記ユーザ端末と前記表示端末との距離が第２の所定の距離閾値以下である場合、前記表示端末に前記現在の位置を送信するための第２の送信サブモジュール７０４３と、を含む。
【０１００】
一実施例では、図７ｄに示すように、前記第２の送信モジュール７０４は、前記表示端末に対応する無線ローカルエリアネットワークとの接続が確立される場合、前記表示端末に現在の位置を送信するための第３の送信サブモジュール７０４４を含む。
【０１０１】
本開示の実施例は、商品表示装置を提供し、当該装置は、ユーザの検索記録またはショッピングカートの商品リストに基づいて、表示端末に購入意図情報を送信することができ、表示端末は、ユーザが購入する意図がある商品を表示するようになり、表示端末がユーザに合わせてパーソナライズ表示することができないという課題が解決され、表示端末の商品表示の精度が向上し、ユーザエクスペリエンスが向上する。
【０１０２】
本開示の実施例は、商品表示装置を提供し、当該商品表示装置は、第１のプロセッサと、第１のプロセッサが実行可能な命令を記憶するための第１のメモリと、を含み、第１のプロセッサは、前記表示端末とユーザ端末との位置関係が所定の条件を満たしているか否かを決定するステップと、前記表示端末とユーザ端末との位置関係が前記所定の条件を満たしている場合、ユーザが購入する意図がある少なくとも１つの商品の商品識別子を含む前記ユーザ端末の購入意図情報を取得するステップと、前記購入意図情報に基づいて、前記購入意図情報に含まれる商品識別子に対応する前記少なくとも１つの商品を表示するステップと、を実行するように構成される。
【０１０３】
一実施例では、上記第１のプロセッサは、さらに、前記ユーザ端末と前記表示端末との間の距離を取得するステップと、前記距離に基づいて、前記表示端末とユーザ端末との位置関係が所定の条件を満たしているか否かを決定するステップと、を実行するように構成されてもよい。
【０１０４】
一実施例では、上記第１のプロセッサは、さらに、前記距離が第１の所定の距離閾値以下であるか否かを決定するステップと、前記距離が前記第１の所定の距離閾値以下である場合、前記表示端末とユーザ端末との位置関係が所定の条件を満たしていると確認するステップと、を実行するように構成されてもよい。
【０１０５】
一実施例では、上記第１のプロセッサは、さらに、前記表示端末と前記ユーザ端末との位置関係が、顔認識の要件を満たしているか否かを決定するステップと、前記表示端末と前記ユーザ端末との位置関係が顔認識の要件を満たしている場合、前記ユーザ端末の購入意図情報を取得するステップと、を実行するように構成されてもよい。
【０１０６】
一実施例では、上記第１のプロセッサは、さらに、前記ユーザ端末の端末識別子を取得するステップと、サーバが、前記端末識別子に対応するユーザ端末の所定のアプリケーションでの検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するステップと、前記サーバによって送信された、前記購入意図情報を含むフィードバック情報を受信するステップと、を実行するように構成されてもよい。
【０１０７】
本開示の実施例は、商品表示装置を提供し、当該装置は、ユーザ端末との位置関係が所定の条件を満たしていると決定した場合、当該ユーザ端末を使用するユーザが購入する意図がある少なくとも１つの商品を表示することができ、当該ユーザは、表示端末の表示により、購入する意図がある商品をチェックし易くなり、表示端末がユーザに合わせてパーソナライズ表示することができないという課題が解決され、表示端末の商品表示の精度が向上し、ユーザエクスペリエンスが向上する。
【０１０８】
本開示の実施例は、商品表示装置を提供し、当該商品表示装置は、第２のプロセッサと、第２のプロセッサが実行可能な命令を記憶するための第２のメモリと、を含み、前記第２のプロセッサは、ローカルの検索記録またはショッピングカートの商品リストを取得するステップと、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、前記購入意図情報を表示端末に送信するステップと、を実行するように構成される。
【０１０９】
一実施例では、上記第２のプロセッサは、さらに、前記表示端末が、前記表示端末と前記ユーザ端末との位置関係が所定の条件を満たしているか否かを決定するように、前記表示端末に現在の位置を送信するステップを実行するように構成されてもよい。
【０１１０】
一実施例では、上記第２のプロセッサは、さらに、前記ユーザ端末の現在の位置と前記表示端末の位置とを含む地図を取得するステップと、前記地図に基づいて、前記ユーザ端末と前記表示端末との距離が第２の所定の距離閾値以下であるか否かを決定するステップと、前記ユーザ端末と前記表示端末との距離が第２の所定の距離閾値以下である場合、前記表示端末に前記現在の位置を送信するステップと、実行するように構成されてもよい。
【０１１１】
一実施例では、上記第２のプロセッサは、さらに、前記表示端末に対応する無線ローカルエリアネットワークとの接続が確立される場合、前記表示端末に現在の位置を送信するステップを実行するように構成されてもよい。
【０１１２】
本開示の実施例は、商品表示装置を提供し、当該装置は、ユーザの検索記録またはショッピングカートの商品リストに基づいて、表示端末に購入意図情報を送信することができ、表示端末は、ユーザが購入する意図がある商品を表示するようになり、表示端末がユーザに合わせてパーソナライズ表示することができないという課題が解決され、表示端末の商品表示の精度が向上し、ユーザエクスペリエンスが向上する。
【０１１３】
上記各実施例における装置に関して、各モジュールが動作を実行する具体的形態は、既にその方法に関する実施例で詳細に説明したので、ここでは詳細な説明を省略する。
【０１１４】
図８は、例示的な一実施例に係る商品表示装置８０のブロック図である。当該装置８０は、端末デバイスに適用される。例えば、装置８０は、携帯電話、コンピュータ、デジタル放送端末、メッセージングデバイス、ゲームコンソール、タブレットデバイス、医療機器、フィットネス機器、パーソナルデジタルアシスタントなどであってもよい。
【０１１５】
装置８０は、処理ユニット８０２、メモリ８０４、電源ユニット８０６、マルチメディアユニット８０８、オーディオユニット８１０、入力/出力（Ｉ  /  Ｏ）インターフェイス８１２、センサユニット８１４、および通信ユニット８１６の１つまたは複数を含むことができる。
【０１１６】
処理ユニット８０２は、通常、表示、電話呼び出し、データ通信、カメラ動作、および記録動作に関連する動作などの装置８０の全体的な動作を制御する。処理ユニット８０２は、上記方法のステップの全部または一部を実行するための命令を実行する１つまたは複数のプロセッサ８２０を含むことができる。また、処理ユニット８０２は、ユニット８０２と他のユニットとのインタラクションを容易にするために、１つまたは複数のモジュールを含むことができる。例えば、処理ユニット８０２は、マルチメディアユニット８０８と処理ユニット８０２とのインタラクションを容易にするために、マルチメディアモジュールを含むことができる。
【０１１７】
メモリ８０４は、装置８０での動作をサポートするために様々なタイプのデータを記憶するように構成される。これらのデータの例は、装置８０で動作する任意のアプリケーションまたは方法の命令、連絡先データ、電話帳データ、メッセージ、写真、ビデオなどを含む。メモリ８０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＥＰＲＯＭ）、プログラマブル読み出し専用メモリ（ＰＲＯＭ）、読み出し専用メモリ（ＲＯＭ）、磁気メモリ、フラッシュメモリ、ディスクまたはＣＤのような任意のタイプの揮発性または不揮発性記憶装置、またはそれらの組み合わせよって実現することができる。
【０１１８】
電源ユニット８０６は、装置８０の様々なユニットに電源を供給する。電源ユニット８０６は、電源管理システム、１つまたは複数の電源、および装置８０の電源の生成、管理、および分配に関連する他のユニットを含むことができる。
【０１１９】
マルチメディアユニット８０8は、１つの出力インタフェースを提供する、装置８０とユーザとの間のスクリーンを含む。いくつかの実施例では、スクリーンは、液晶表示（ＬＣＤ）とタッチパネル（ＴＰ）とを含むことができる。スクリーンがタッチパネルを含む場合、スクリーンは、ユーザからの入力信号を受信するためのタッチスクリーンとして実現することができる。タッチパネルは、タッチ、スライドおよびタッチパネル上のジェスチャを感知するための１つまたは複数のタッチセンサを含む。前記タッチセンサは、タッチまたはスライド動作の境界を感知するだけでなく、前記タッチまたはスライド動作に関連する持続時間および圧力も検出することができる。いくつかの実施例では、マルチメディアユニット８０８は、１つのフロントカメラおよび/またはリアカメラを含む。装置８０が撮影モードまたはビデオモードのような動作モードにあるとき、フロントカメラおよび/またはリアカメラは、外部のマルチメディアデータを受信することができる。各フロントカメラおよびリアカメラは、固定光学レンズシステムであってもよいし、焦点距離および光学ズーム能力を有してもよい。
【０１２０】
オーディオユニット８１０は、オーディオ信号を出力および/または入力するように構成される。例えば、オーディオユニット８１０は、１つのマイクロフォン（ＭＩＣ）を含み、装置８０が、呼び出しモード、記録モード、および音声認識モードなどの動作モードにあるとき、マイクロフォンが外部オーディオ信号を受信するように構成される。受信されたオーディオ信号は、メモリ８０４にさらに記憶されてもよいし、または通信ユニット８１６を介して送信されてもよい。いくつかの実施例では、オーディオユニット８１０は、オーディオ信号を出力するためのスピーカをさらに含む。
【０１２１】
Ｉ  /  Ｏインターフェース８１２は、処理ユニット８０２と周辺機器インターフェースモジュールとの間のインターフェースを提供し、上記周辺機器インターフェースモジュールは、キーボード、クリックホイール、ボタンなどであってもよい。これらのボタンは、ホームボタン、音量ボタン、開始ボタン、およびロックボタンを含むことができるが、これらに限定されない。
【０１２２】
センサユニット８１４は、各方面の状態評価を装置８０に提供するための１つまたは複数のセンサを含む。例えば、センサユニット８１４は、装置８０のオン・オフ状態、装置８０の表示およびキーパッドなどのユニットの相対的な位置決めを検出することができるとともに、センサユニット８１４は、装置８０または装置８０の１つのユニットの位置の変化、ユーザ端末と装置８０との接触の有無、装置８０の向きまたは加速/減速、および装置８０の温度変化を検出することもできる。センサユニット８１４は、物理的接触なしで近くの物体の存在を検出するように構成された近接センサを含むことができる。センサユニット８１４は、イメージング用途に使用するためのＣＭＯＳまたはＣＣＤイメージセンサなどの光センサを含むことができる。いくつかの実施例では、当該センサユニット８１４は、加速度センサ、ジャイロセンサ、磁気センサ、圧力センサ、または温度センサをさらに含むことできる。
【０１２３】
通信ユニット８１６は、装置８０と他の装置との間の有線または無線通信を容易にするように構成される。装置８０は、通信規格に基づいた無線ネットワーク、例えば、ＷＩＦＩ、２Ｇまたは３Ｇ、またはそれらの組み合わせにアクセスすることができる。例示的な一実施例では、通信ユニット８１６は、ブロードキャストチャネルを介して外部ブロードキャスト管理システムからのブロードキャスト信号またはブロードキャスト関連情報を受信する。例示的な一実施例では、前記通信ユニット８１６は、近距離通信を促進する近距離通信（ＮＦＣ）モジュールをさらに含む。例えば、ＮＦＣモジュールは、無線周波数識別（ＲＦＩＤ）技術、赤外線データアソシエーション（ＩｒＤＡ）技術、超広帯域（ＵＷＢ）技術、ブルートゥース（ＢＴ、登録商標）技術、および他の技術に基づいて実現することができる。
【０１２４】
例示的な実施例では、装置８０は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサまたは他の電子デバイスによって実現することができ、上記ユーザ端末側の商品表示方法を実行するために使用される。
【０１２５】
例示的な実施例において、命令を含む非一時的なコンピュータ読み取り可能な記憶媒体がさらに提供され、例えば、命令を含むメモリ８０４、上記命令は、装置８０のプロセッサ８２０によって実行されて上記ユーザ端末側の商品表示方法を完成する。例えば、前記非一時的なコンピュータ読み取り可能な記憶媒体は、ＲＯＭ、ランダムアクセスメモリ（ＲＡＭ）、ＣＤ-ＲＯＭ、カセットテープ、フロッピーディスク、および光データ記憶装置であってもよい。
【０１２６】
本開示の実施例は、非一時的なコンピュータ読み取り可能な記憶媒体を提供し、前記記憶媒体における命令が表示端末のプロセッサによって実行される場合、表示端末が上記商品表示方法を実行することができ、当該方法は、前記表示端末とユーザ端末との位置関係が所定の条件を満たしているか否かを決定するステップと、前記表示端末とユーザ端末との位置関係が前記所定の条件を満たしている場合、ユーザが購入する意図がある少なくとも１つの商品の商品識別子を含む前記ユーザ端末の購入意図情報を取得するステップと、前記購入意図情報に基づいて、前記購入意図情報に含まれる商品識別子に対応する前記少なくとも１つの商品を表示するステップと、を含む。
【０１２７】
一実施例では、前記表示端末とユーザ端末との位置関係が所定の条件を満たしているか否かを決定するステップは、前記ユーザ端末と前記表示端末との間の距離を取得するステップと、前記距離に基づいて、前記表示端末とユーザ端末との位置関係が所定の条件を満たしているか否かを決定するステップと、を含む。
【０１２８】
一実施例では、前記距離に基づいて、前記表示端末とユーザ端末との位置関係が所定の条件を満たしているか否かを決定するステップは、前記距離が第１の所定の距離閾値以下であるか否かを決定するステップと、前記距離が前記第１の所定の距離閾値以下である場合、前記表示端末とユーザ端末との位置関係が所定の条件を満たしていると確認するステップと、を含む。
【０１２９】
一実施例では、前記表示端末とユーザ端末との位置関係が所定の条件を満たしているか否かを決定するステップは、前記表示端末と前記ユーザ端末との位置関係が、顔認識の要件を満たしているか否かを決定するステップを含み、前記表示端末とユーザ端末との位置関係が前記所定の条件を満たしている場合、前記ユーザ端末の購入意図情報を取得するステップは、前記表示端末と前記ユーザ端末との位置関係が顔認識の要件を満たしている場合、前記ユーザ端末の購入意図情報を取得するステップを含む。
【０１３０】
一実施例では、前記ユーザ端末の購入意図情報を取得するステップは、前記ユーザ端末の端末識別子を取得するステップと、サーバが、前記端末識別子に対応するユーザ端末の検索記録またはショッピングカートの商品リストを取得し、且つ前記検索記録または前記ショッピングカートの商品リストに基づいて前記ユーザ端末の購入意図情報を取得するように、前記端末識別子に基づいて前記サーバに前記ユーザ端末の端末識別子を含むクエリ情報を送信するステップと、前記サーバによって送信された、購入意図情報を含むフィードバック情報を受信するステップと、を含む。
【０１３１】
本開示の実施例は、非一時的なコンピュータ読み取り可能な記憶媒体を提供し、前記記憶媒体における命令が装置８０のプロセッサによって実行される場合、装置８０が上記ユーザ端末側の商品表示方法を実行することができ、当該方法は、ローカルの検索記録またはショッピングカートの商品リストを取得するステップと、前記検索記録またはショッピングカートの商品リストに基づいて、前記検索記録に対応する少なくとも１つの商品の商品識別子および/または前記ショッピングカートの商品リストに含まれる少なくとも１つの商品の商品識別子を含む購入意図情報を取得するステップと、前記購入意図情報を表示端末に送信するステップと、を含む。
【０１３２】
一実施例では、前記方法は、前記表示端末が、前記表示端末と前記ユーザ端末との位置関係が所定の条件を満たしているか否かを決定するように、前記表示端末に現在の位置を送信するステップをさらに含む。
【０１３３】
一実施例では、前記表示端末に現在の位置を送信するステップは、前記ユーザ端末の現在の位置と前記表示端末の位置とを含む地図を取得するステップと、前記地図に基づいて、前記ユーザ端末と前記表示端末との距離が第２の所定の距離閾値以下であるか否かを決定するステップと、前記ユーザ端末と前記表示端末との距離が第２の所定の距離閾値以下である場合、前記表示端末に前記現在の位置を送信するステップと、を含む。
【０１３４】
一実施例では、前記表示端末に現在の位置を送信するステップは、前記表示端末に対応する無線ローカルエリアネットワークとの接続が確立される場合、前記表示端末に現在の位置を送信するステップを含む。
【０１３５】
当業者は、明細書を考慮してここで開示される発明を実施した後、本発明の他の実施案を容易に想到することができる。本出願は、本発明のいかなる変形、用途または適宜な変化を含むことを主旨とし、これらの変形、用途または適宜な変化は、本発明の一般的な原理に従るとともに、本開示で開示されていない当分野の公知常識または慣用技術手段を含む。明細書および実施例は、例示するものに過ぎなく、本発明の本当な範囲および主旨は、以下の請求の範囲によって示される。
【０１３６】
なお、本発明は、上記説明に記載され、図面に示されている厳密な構成に限定されず、その範囲から逸脱しない限り、様々な修正および変更を行うことができる。本開示の範囲は、添付の特許請求の範囲のみによって限定される。
【図１ａ】
0006838138.tif 000002
【図１ｂ】
0006838138.tif 000003
【図１ｃ】
0006838138.tif 000004
【図２ａ】
0006838138.tif 000005
【図２ｂ】
0006838138.tif 000006
【図３】
0006838138.tif 000007
【図４】
0006838138.tif 000008
【図５】
0006838138.tif 000009
【図６ａ】
0006838138.tif 000010
【図６ｂ】
0006838138.tif 000011
【図６ｃ】
0006838138.tif 000012
【図６ｄ】
0006838138.tif 000013
【図６ｅ】
0006838138.tif 000014
【図７ａ】
0006838138.tif 000015
【図７ｂ】
0006838138.tif 000016
【図７ｃ】
0006838138.tif 000017
【図７ｄ】
0006838138.tif 000018
【図８】
0006838138.tif 000019